(57)【要約】【課題】  排熱利用のデシカント再生装置と、デシカント利用装置の設置箇所が離れていても、両者間で容易にデシカントの移送を行い、更に、自動車等の移動体の排熱を、地域ネットワークによる連携機能を使ってデシカント利用装置に有効利用可能とする。【解決手段】  オフィス１１、公共機関１２、商業施設１３、一般家庭１４等に設置してあるデシカントを用いた空調装置１５において、そのデシカントの再生が必要となったときには、地域デシカント管理部門２４がその情報を受け、ゴミ収集車や配送用トラック等の定期循環車両を主体とした移動体１８がこれを回収し、工場やゴミ焼却場等の排熱を利用してデシカントの再生を行うデシカント再生基地１７等に移送し、デシカントの再生を行う。デシカントの再生に際しては、車両の排熱を利用したデシカント再生装置を利用することができる。再生したデシカントは必要とする空調装置等に移動体により移送する。【選択図】図１
2006064325.tif 000002
【特許請求の範囲】
【請求項１】
複数の施設に設置してあるデシカント利用装置と、
前記デシカント利用装置の設置位置とは離れた箇所に存在するデシカント再生装置とからなり、
前記デシカント利用装置で水分或いは各種物質を吸着したデシカントを、移動体により回収して前記デシカント再生装置で再生し、再生したデシカントを前記移動体によりデシカント利用装置に移送することを特徴とするデシカントネットワークシステム。
【請求項２】
前記デシカント再生装置を移動体に設置し、移動体の排熱により再生することを特徴とする請求項１記載のデシカントネットワークシステム。
【請求項３】
前記移動体の排熱は、エンジンの冷却水又は排気ガスの熱であることを特徴とする請求項２記載のデシカントネットワークシステム。
【請求項４】
前記エンジンの排熱で再生するデシカントから発生する有害物質をエンジン内に供給して焼却することを特徴とする請求項３記載のデシカントネットワークシステム。
【請求項５】
前記デシカントは粒子状或いは液状であり、前記デシカント再生装置で再生したデシカントを、前記移動体の移動によって前記空調装置のデシカント溜に移送することを特徴とする請求項１記載のデシカントネットワークシステム。
【請求項６】
前記デシカントは粒子状であり、前記移動体のデシカント再生装置と前記デシカント利用装置の粒子溜間は、空気流によって粒子を輸送する空気輸送ラインによりデシカント粒子を輸送することを特徴とする請求項５記載のデシカントネットワークシステム。
【請求項７】
前記デシカントはカセット状であり、
前記デシカント再生装置で再生したカセット状デシカントを、前記移動体の移動によって前記デシカント利用装置のカセット装着部に移送することを特徴とする請求項１記載のデシカントネットワークシステム。
【請求項８】
前記カセット内には粒状のデシカントを収納することを特徴とする請求項６記載のデシカントネットワークシステム。
【請求項９】
前記カセットは多孔質材料からからなることを特徴とする請求項８記載のデシカントネットワークシステム。
【請求項１０】
前記カセットは多孔性であって、内部に粒状のデシカントを浮遊可能状態で収納し、
前記カセット内に移動体の排気ガスまたは排熱から得られた加熱空気を流通させて、前記粒状のデシカントの再生を行うことを特徴とする請求項７記載のデシカントネットワークシステム。
【請求項１１】
前記カセットは内部に粒状のデシカントを収納した多孔性の内容器と、
前記内容器を収容し、複数の穴を備えた外容器と、前記外容器の穴を塞ぐシャッターとを有する外容器を備えたことを特徴とする請求項７記載のデシカントネットワークシステム。
【請求項１２】
前記カセットを前記デシカント利用装置のカセット装着部に装着するとき、当該装着操作により先に装着されていたカセットを押し出すように構成したことを特徴とする請求項７記載のデシカントネットワークシステム。
【請求項１３】
前記デシカント再生装置のカセット装着部には、装着したカセットを外部から加熱する熱交換器を備えたことを特徴とする請求項７記載のデシカントネットワークシステム。
【請求項１４】
前記カセットの容器には熱交換用コイルを備え、
前記デシカント再生装置に対する前記カセットの装着時に、デシカント再生装置の再生用流体供給部とカセットの熱交換用コイルとが接続することを特徴とする請求項７記載のデシカントネットワークシステム。
【請求項１５】
前記デシカント利用装置では、前記熱交換用コイル付きカセットのまま用いることを特徴とする請求項１２記載のデシカントネットワークシステム。
【請求項１６】
前記デシカントは内部に粒状のデシカントを収納したカセット状であり、
前記デシカント再生装置で再生したカセットを、前記移動体の移動によって前記デシカント利用装置設置箇所に移送し、カセット内の粒状のデシカントをデシカント利用装置の粒子溜に移し、使用済みの粒状のデシカントをカセット内に再充填してデシカント再生装置に移送することを特徴とする請求項１記載のデシカントネットワークシステム。
【請求項１７】
前記移動体は定期巡回車両であって、前記デシカント利用装置の設置施設を巡回することを特徴とする請求項１記載のデシカントネットワークシステム。
【請求項１８】
前記デシカント利用装置は地域社会の家及びビルディングを含む建築物に設置されたものであることを特徴とする請求項１５記載のデシカントネットワークシステム。
【請求項１９】
前記デシカント利用装置は車両に設置されたものであり、前記移動体は前記車両の駐車施設を巡回することを特徴とする請求項１記載のデシカントネットワークシステム。
【請求項２０】
再生したデシカントを集めてデシカント利用装置の利用者に渡し、デシカント利用装置の利用者からの使用済みデシカントをデシカント再生装置側へ渡すデシカント配送基地を備えることを特徴とする請求項１記載のデシカントネットワークシステム。
【請求項２１】
前記デシカント利用装置は車両に設置されたものであり、当該車両がデシカント配送基地で使用済みデシカントと再生済みデシカントを交換することを特徴とする請求項２０記載のデシカントネットワークシステム。
【請求項２２】
前記デシカント利用装置にはデシカントの吸着能力を検出するデシカントモニターと、
前記デシカントモニターにより吸着能力の状態を示す信号を出力するデシカントモニター信号出力手段と、
前記デシカントモニター信号出力手段からの信号を受信し、デシカントの吸着能力が所定以下であるときに前記移動体に再生済みデシカントを前記デシカント利用装置に配送する指示を行うデシカント管理部門を備えたことを特徴とする請求項１記載のデシカントネットワークシステム。  
【請求項２３】
前記デシカント利用装置はデシカント利用空調装置であることを特徴とすることを特徴とする請求項１記載のデシカントネットワークシステム。
【請求項２４】
前記デシカント利用装置はデシカントの吸湿時の発熱を利用する加熱装置であることを特徴とする請求項１記載のデシカントネットワークシステム。
【請求項２５】
前記加熱装置は融雪用温水加熱装置であることを特徴とする請求項２４記載のデシカントネットワークシステム。
【請求項２６】
前記融雪用温水加熱装置にデシカントを移送する移動体は雪運搬車であることを特徴とする請求項２５記載のデシカントネットワークシステム。
【請求項２７】
前記デシカント利用装置はデシカント利用除湿器であることを特徴とする請求項１記載のデシカントネットワークシステム。
【発明の詳細な説明】
【技術分野】
【０００１】
本発明は、工場やゴミ焼却場の排熱、或いは車などの移動体で発生する熱を利用してデシカントを再生し、再生したデシカントを家庭、ビル等の定置型の空調装置、或いは車両用空調装置で用い、更には単体で除湿器として用い、或いは乾燥デシカントの吸湿時の発熱を利用した加熱装置として用いることにより、利用の困難であった排熱を空調用エネルギーに有効利用することができるようにしたデシカントネットワークシステムに関する。
【背景技術】
【０００２】
従来のデシカント空調装置は例えば図８に示すような装置が用いられていた。即ち処理行程と再生行程が対面通行の形で行われ、デシカント（乾燥剤）を塗布した除湿ローター１０１と顕熱交換ローター１０２が直列に配置されており、処理側に導入した環境空気の除湿と熱交換を逐次的に行う。顕熱交換ローター１０２の後流に水スプレー１０３を配置し、中温・低湿の空気に水を噴霧することで水の気化熱が奪われ、空気は低温・高湿となる。
【０００３】
一方、再生行程では、室内の中温・高湿の環境空気を取り込み、蒸発式冷却器１０４により低温・高湿の空気とし、顕熱交換ローター１０２に送り込まれる。処理側で高温となった顕熱交換ローター１０２は、この中温・高湿空気によって冷却される。また、顕熱交換ローター１０２より熱が与えられ、温度が高くなった空気はさらに加熱ヒータ１０５により加熱される。なお、この加熱ヒータ１０５の熱源としては種々のものを用いることができる。この高温空気によって除湿ローター１０１を加熱し、除湿剤上の水分を蒸発させ、除湿剤を再生する。
【０００４】
上記のようなデシカント空調システムにおいて、二つのローターはハニカム状になっており、空気との接触が良好に行われるようになっている。これらが低速で回転することによって、処理工程と再生行程を同時に行うことができ、パッケージ化に成功し、商業化されている。なお、このようなデシカント空調装置は例えば下記特許文献１、非特許文献１等に記載されている。
【特許文献１】特開２００３−３５４３４号公報
【非特許文献１】化学工学会第３６回秋季大会C2A04、化学工学論文集第３号(2004)
【発明の開示】
【発明が解決しようとする課題】
【０００５】
上記のような従来の装置においては、ローターにデシカント（吸着剤）を保持するため、除湿と再生を同時に行わなくてはならなかった。そのため、除湿容量も限界があり、熱供給と除湿需要がマッチしないと小型化できなかった。
【０００６】
また、排熱を利用してデシカントを再生することも提案されているが、所定量以上の排熱を安定して得ることができる一定品質の未利用排熱源が少なく、コジェネレーションシステムなどに利用する程度に限定されており、有効な排熱利用が促進できない、という問題があった。
【０００７】
更に、排熱を利用してデシカントを再生する際には、排熱が得られる箇所とデシカントを利用する箇所とが離れている場合が多く、特に一般家庭の近所には安定して排熱を得る施設は存在しない。また、上記のようにして得られた排熱利用によって再生したデシカントを、一般家庭を含めた各種施設で利用するシステムができておらず、その面からも排熱を有効利用するシステムの開発が望まれている。
【０００８】
一方、自動車などの移動体では燃料の持つ化学エネルギーの２０％前後が仕事に有効利用されるだけで、残りの３０％程度はエンジン冷却水系統から、更に残りのうちの３０％程度が排気ガス系統から大気中に捨てられており、飛躍的な省エネルギーを図ることは非常に困難であった。そのため、自動車の排熱の有効利用は極めて重要であるにもかかわらず、例えばその排熱によって発電し、車内電力として使用する等、その車両内のエネルギー源として用いるほか無く、社会全体で自動車等の移動体の排熱を有効利用するシステムの開発も望まれている。
【０００９】
したがって本発明は、排熱を利用してデシカントを再生するデシカント再生装置と、再生したデシカントを利用するデシカント利用装置の設置箇所が離れていても、容易に再生したデシカントをデシカント利用装置に移送し、デシカント利用装置での利用によって吸着能力が低下したデシカントを同様に再生装置に移送することができるシステムを提供し、更に、自動車等の移動体の排熱を、地域ネットワークによる連携機能を使ってデシカント利用装置に有効利用することを目的としている。
【課題を解決するための手段】
【００１０】
本発明によるデシカントネットワークシステムは、上記課題を解決するため、複数の施設に設置してあるデシカント利用装置と、前記デシカント利用装置の設置位置とは離れた箇所に存在するデシカント再生装置とからなり、前記デシカント利用装置で水分或いは各種物質を吸着したデシカントを、移動体により回収して前記デシカント再生装置で再生し、再生したデシカントを前記移動体によりデシカント利用装置に移送することを特徴とする。
【００１１】
本発明によるデシカントネットワークシステムは、前記デシカントネットワークシステムにおいて、前記デシカント再生装置を移動体に設置し、移動体の排熱により再生することを特徴とする。
【００１２】
本発明によるデシカントネットワークシステムは、前記デシカントネットワークシステムにおいて、前記移動体の排熱は、エンジンの冷却水又は排気ガスの熱であることを特徴とする。
【００１３】
本発明によるデシカントネットワークシステムは、前記デシカントネットワークシステムにおいて、前記エンジンの排熱で再生するデシカントから発生する有害物質をエンジン内に供給して焼却することを特徴とする。
【００１４】
本発明によるデシカントネットワークシステムは、前記デシカントネットワークシステムにおいて、前記デシカントは粒子状或いは液状であり、前記デシカント再生装置で再生したデシカントを、前記移動体の移動によって前記空調装置のデシカント溜に移送することを特徴とする。
【００１５】
本発明によるデシカントネットワークシステムは、前記デシカントネットワークシステムにおいて、  前記デシカントは粒子状であり、前記移動体のデシカント再生装置と前記デシカント利用装置の粒子溜間は、空気流によって粒子を輸送する空気輸送ラインによりデシカント粒子を輸送することを特徴とする。
【００１６】
本発明によるデシカントネットワークシステムは、前記デシカントネットワークシステムにおいて、前記デシカントはカセット状であり、前記デシカント再生装置で再生したカセット状デシカントを、前記移動体の移動によって前記デシカント利用装置のカセット装着部に移送することを特徴とする。
【００１７】
本発明によるデシカントネットワークシステムは、前記デシカントネットワークシステムにおいて、前記カセット内には粒状のデシカントを収納することを特徴とする。
【００１８】
本発明によるデシカントネットワークシステムは、前記デシカントネットワークシステムにおいて、前記カセットは多孔質材料からからなることを特徴とする。
【００１９】
本発明によるデシカントネットワークシステムは、前記デシカントネットワークシステムにおいて、前記カセットは多孔性であって、内部に粒状のデシカントを浮遊可能状態で収納し、前記カセット内に移動体の排気ガスまたは排熱から得られた加熱空気を流通させて、前記粒状のデシカントの再生を行うことを特徴とする。
【００２０】
本発明によるデシカントネットワークシステムは、前記デシカントネットワークシステムにおいて、前記カセットは内部に粒状のデシカントを収納した多孔性の内容器と、前記内容器を収容し、複数の穴を備えた外容器と、前記外容器の穴を塞ぐシャッターとを有する外容器を備えたことを特徴とする。
【００２１】
本発明によるデシカントネットワークシステムは、前記デシカントネットワークシステムにおいて、前記カセットを前記デシカント利用装置のカセット装着部に装着するとき、当該装着操作により先に装着されていたカセットを押し出すように構成したことを特徴とする。
【００２２】
本発明によるデシカントネットワークシステムは、前記デシカントネットワークシステムにおいて、前記デシカント再生装置のカセット装着部には、装着したカセットを外部から加熱する熱交換器を備えたことを特徴とする。
【００２３】
本発明によるデシカントネットワークシステムは、前記デシカントネットワークシステムにおいて、前記カセットの容器には熱交換用コイルを備え、前記デシカント再生装置に対する前記カセットの装着時に、デシカント再生装置の再生用流体供給部とカセットの熱交換用コイルとが接続することを特徴とする。
【００２４】
本発明によるデシカントネットワークシステムは、前記デシカントネットワークシステムにおいて、前記デシカント利用装置では、前記熱交換用コイル付きカセットのまま用いることを特徴とする。
【００２５】
本発明によるデシカントネットワークシステムは、前記デシカントネットワークシステムにおいて、前記デシカントは内部に粒状のデシカントを収納したカセット状であり、前記デシカント再生装置で再生したカセットを、前記移動体の移動によって前記デシカント利用装置設置箇所に移送し、カセット内の粒状のデシカントをデシカント利用装置の粒子溜に移し、使用済みの粒状のデシカントをカセット内に再充填してデシカント再生装置に移送することを特徴とする。
【００２６】
本発明によるデシカントネットワークシステムは、前記デシカントネットワークシステムにおいて、前記移動体は定期巡回車両であって、前記デシカント利用装置の設置施設を巡回することを特徴とする。
【００２７】
本発明によるデシカントネットワークシステムは、前記デシカントネットワークシステムにおいて、前記デシカント利用装置は地域社会の家及びビルディングを含む建築物に設置されたものであることを特徴とする。
【００２８】
本発明によるデシカントネットワークシステムは、前記デシカントネットワークシステムにおいて、前記デシカント利用装置は車両に設置されたものであり、前記移動体は前記車両の駐車施設を巡回することを特徴とする。
【００２９】
本発明によるデシカントネットワークシステムは、前記デシカントネットワークシステムにおいて、再生したデシカントを集めてデシカント利用装置の利用者に渡し、デシカント利用装置の利用者からの使用済みデシカントをデシカント再生装置側へ渡すデシカント配送基地を備えることを特徴とする。
【００３０】
本発明によるデシカントネットワークシステムは、前記デシカントネットワークシステムにおいて、前記デシカント利用装置は車両に設置されたものであり、当該車両がデシカント配送基地で使用済みデシカントと再生済みデシカントを交換することを特徴とする。
【００３１】
本発明によるデシカントネットワークシステムは、前記デシカントネットワークシステムにおいて、前記デシカント利用装置にはデシカントの吸着能力を検出するデシカントモニターと、前記デシカントモニターにより吸着能力の状態を示す信号を出力するデシカントモニター信号出力手段と、前記デシカントモニター信号出力手段からの信号を受信し、デシカントの吸着能力が所定以下であるときに前記移動体に再生済みデシカントを前記デシカント利用装置に配送する指示を行うデシカント管理部門を備えたことを特徴とする。
【００３２】
本発明によるデシカントネットワークシステムは、前記デシカントネットワークシステムにおいて、前記デシカント利用装置はデシカント利用空調装置であることを特徴とすることを特徴とする。
【００３３】
本発明によるデシカントネットワークシステムは、前記デシカントネットワークシステムにおいて、前記デシカント利用装置はデシカントの吸湿時の発熱を利用する加熱装置であることを特徴とする。
【００３４】
本発明によるデシカントネットワークシステムは、前記デシカントネットワークシステムにおいて、前記加熱装置は融雪用温水加熱装置であることを特徴とする。
【００３５】
本発明によるデシカントネットワークシステムは、前記デシカントネットワークシステムにおいて、前記融雪用温水加熱装置にデシカントを移送する移動体は雪運搬車であることを特徴とする。
【００３６】
本発明によるデシカントネットワークシステムは、前記デシカントネットワークシステムにおいて、前記デシカント利用装置はデシカント利用除湿器であることを特徴とする。
【発明の効果】
【００３７】
本発明によるデシカントネットワークシステムは上記のように構成したので、排熱を利用してデシカントを再生するデシカント再生装置と、再生したデシカントを空調装置や除湿器或いはデシカントが吸湿するときの熱を利用する加熱装置等のデシカント利用装置の設置箇所が離れていても、容易に再生したデシカントをそれらのデシカント利用装置に移送し、デシカント利用装置で吸着能力が低下したデシカントを同様に再生装置に移送することができる。また、自動車等の移動体の排熱を、地域ネットワークによる連携機能を使ってデシカント利用装置に有効利用することができる。
【発明を実施するための最良の形態】
【００３８】
本発明は、排熱を利用してデシカントを再生するデシカント再生装置と、再生したデシカントを利用するデシカント利用装置の設置箇所が離れていても、容易に再生したデシカントをデシカント利用装置に移送し、デシカント利用装置で吸着能力が低下したデシカントを同様に再生装置に移送することができるようにするため、複数の施設に設置してあるデシカント利用装置と、前記デシカント利用装置の設置位置とは離れた箇所に存在するデシカント再生装置とからなり、前記デシカント利用装置で水分或いは各種物質を吸着したデシカントを、移動体により回収して前記デシカント再生装置で再生し、再生したデシカントを前記移動体によりデシカント利用装置に移送するシステムとした。
【実施例１】
【００３９】
図１は、本発明によるデシカントネットワークシステムが適用されるデシカントを使用する空調装置、除湿器、或いはデシカントの吸湿時の発熱作用を利用する加熱装置等のデシカント利用装置と、そのデシカントを再生するデシカント再生装置、及び前記のようなデシカント利用装置と再生装置間においてデシカントを輸送し、或いはデシカントを再生する機能を備えた移動体の関係を示す図である。
【００４０】
図１に示すように本発明によるデシカントネットワークシステムにおいては、地域に広範囲に用いられているデシカントを使用した空調装置として、オフィス１１、学校、病院、役所等の公共機関１２、スーパー、コンビニ等の商業施設１３、一般家庭１４を例示しており、その他デシカントを押入、室内、浴室等の除湿を行うための除湿器として利用する施設としての一般家庭１４、更にはデシカントの吸湿時の発熱作用を利用する加熱装置を利用した融雪槽１０等の種々の施設に適用される。
【００４１】
このような種々の施設で使用されるデシカントを利用するデシカント利用装置は、例えば図中空調装置１５として示すように使用され、デシカント１６の使用によって室内の水分、及び有害物質を吸着し、特に水分の吸着によって冷房や暖房負荷が減少し、空調装置の作動効率が向上する。その他一般家庭１４で用いる除湿器は、押入、低温壁面の結露部分、浴室等に設置して専ら除湿を行うために用いる。
【００４２】
更に、乾燥したデシカントに強制的に水分を吸着させることにより温度上昇させてこれを加熱装置として用いる。その際にはデシカント粒子内に水分を含んだ空気を導入し、流動層状態でデシカントに水分を吸着させ、その際に発生する熱を利用してその流動層内に配置されている給水管内の水を加熱し、温水を発生するように構成することも可能である。
【００４３】
また、そのデシカント利用加熱装置を前記のような融雪槽１０に適用する際には、加熱用温水ボイラーで発生した温水を融雪槽の加熱配管に導いて融雪を行い、その加熱配管から出て再び加熱用温水ボイラーに戻る管路中に前記のような加熱装置を用いたデシカント吸湿発熱利用加温槽を配置し、ボイラーの給水予熱装置として利用し、ボイラーでの燃料の節約を行うようにすることもできる。
【００４４】
ここで用いる加温槽では、乾燥したデシカント粒子中に高湿度の外気を導入することにより容易に加湿することができるが、高湿度の外気が得られないときには導入外気に水を噴霧して高湿度化しても良い。このときに発生するデシカント粒子流動層内を通過した空気は乾燥空気となるので、この施設の近くに冷熱需要がある場合にはこれを利用して冷熱発生源の省エネルギー化を図ることもできる。近くにそのような冷熱需要がないときには、前記加温槽から出る温水配管の保温等、種々の熱源として利用することもできる。
【００４５】
一方、上記のような各種施設等で使用され、吸湿したデシカントは、例えば再生基地１７としての工場、ゴミ焼却場等の排熱を利用したデシカント再生装置で再生される。更に図示実施例では、バス、自家用車、ゴミ収集車、トラック等の、特に定期循環車両を主体とし、一般車両を含んだ車両である移動体１８についても、例えばデシカント再生装置搭載車両１９として示すように、エンジンからの排熱として冷却水や排気熱を利用するデシカント再生装置２０を利用することができる。このような車両に設置したデシカント再生装置においては、再生時に発生するデシカントに吸着された濃縮されている有害物質の排出時に、それをエンジン内に吸入させることにより、無害化して排出することもできる。
【００４６】
また、上記のような定期循環車両にデシカント再生装置を搭載すると、循環路を走行中に周囲のデシカント付き空調装置の利用者から使用済みデシカントを収集し、再生済みデシカントと交換し、更には自車両の走行中に使用済みデシカントを再生して利用可能にし、或いは定期循環路近傍のデシカント再生基地におけるデシカント再生装置に搬送して再生を依頼し、また再生済みのデシカントを積み込む等の作業を定期的に行うようにすることができる。このような定期循環車両としては、更に牛乳配達車、コンビニ商品配達車等も利用することができ、更にデシカントの移送を行うのみであるならば、特定地域を循環するモノレール、路面電車等も用いることができる。更に吸湿時の発熱作用を利用する加熱装置が図示するような融雪槽１０である場合は、この融雪槽１０に各地の雪を集めて輸送する雪運搬車を利用することが有効である。
【００４７】
前記空調装置１５等のデシカント利用施設で使用されるデシカント１６としては、粒状のデシカント、或いはカセット状のデシカントを使用することができ、更に液状のデシカントを用いることもできる。粒状のデシカントを使用する際においても、それを所定の形状及び大きさの容器に入れたものを一体的に取り扱うようにしても良く、或いは空調装置に設けたデシカント貯留容器に充填して使用し、使用後のデシカントを貯留容器から吸引して取り出すようにすることもできる。
【００４８】
図１に示す例においてはガソリンスタンド等をデシカント配送基地２１として利用しており、このデシカント配送基地２１においては、前記デシカント再生装置付き車両１９で再生したデシカントを収集し、或いは各種移動体１８がデシカント再生基地１７から搬送したデシカントを収集して蓄えておく。また、デシカント空調装置の利用者が再生したデシカントを必要とするときには、このデシカント配送基地２１としてのガソリンスタンド等に立ち寄って再生したデシカントを持ち帰り、その際に家等から持ってきた使用済みデシカントをデシカント再生基地２１に渡すことにより、一連のデシカントの使用と再生システムが構成される。
【００４９】
なお、このガソリンスタンドにデシカント再生装置を備えているときには、前記前記デシカント再生基地と同様に用いることもできる。また、このようなデシカント配送基地２１を配置する際には、後述する地域デシカント管理部門による管理は必ずしも必要としなくなる。更に、このようなデシカント配送基地においては、使用済みデシカントを再生済みデシカントの交換時に料金を徴収するシステムとすることもできる。
【００５０】
図１に示す例においては空調装置１５に、使用しているデシカントの吸着能力を監視するデシカントモニター２２を備え、その吸着能力を示す信号を通信機２３によって地域デシカント管理部門２４に出力するようにした例を示している。この地域デシカント管理部門２４としては種々の形態が存在しうるが、例えばデシカント管理会社、或いは公的なデシカント管理事業団が行うことができる。
【００５１】
この地域デシカント管理部門２４においては、前記のように各デシカント利用装置のデシカントの吸着能力を検出し、その吸着能力が所定値以下になったときには、移動体１８の特定の車両に対してデシカントの配送依頼を行い、依頼された移動体１８はデシカント再生基地で再生されたデシカント、或いはデシカント配送基地２１に収集されているデシカント、更には自車両のデシカント再生装置２０で再生したデシカントを、前記吸着能力が低下した信号を出力しているデシカント利用装置の設置箇所に走行て配送し、再生済みデシカントと交換する。
【００５２】
このような地域デシカント管理部門２４を中心とするデシカント管理システムにおいては、前記のように各デシカント利用装置におけるデシカントの吸着能力を常時モニターする以外に、各空調装置１５のデシカントモニター２２等によって、使用しているデシカントの吸着能力が所定値以下であることを検出したときに出力される再生デシカント要求信号を受信して、上記のような移動体による再生済みデシカントの配送依頼を行うようにしても良い。
【００５３】
図１に示すような全体構成からなるデシカントネットワークシステムは、前記のように種々の態様でデシカントを利用するデシカント利用装置と、デシカント再生装置間のデシカントの配送を行うことができるが、より具体的には例えば図２に示すようなシステム構成とすることができる。図２（ａ）に示すシステムにおいては、多数の定置型デシカント利用装置２５−１、２５−２、・・・２５−ｎと、図１のデシカント再生基地１７等の定置型のデシカント再生装置２７−１、２７−２、・・・２７−ｎ間を、移動体２６−１、２６−２、・・・２６−ｎによって、前記のような再生済みデシカントと使用済みデシカントの交換を行うシステム構成の例を示している。このシステムにおいては、図１の地域デシカント管理部門２４等の指示によって効率的な配送を行うようにする。このとき用いるデシカントの形態は、カセット単体として取り扱いができるようにしてもよく、粒状デシカントを適宜の容器に入れて粒状のまま取り扱うようにしても良い。
【００５４】
また、図２（ｂ）に示すシステムにおいては、デシカント再生装置が図１のデシカント再生装置付き車両１９のような移動体２８−１、２８−２、・・・のみの例を示しており、これらの移動体で再生したデシカントを、吸着能力が低下したデシカントを用いているデシカント利用装置に配送する。この際も図１の地域デシカント管理部門２４等の指示によって効率的な配送を行うようにする。
【００５５】
図２（ｃ）に示すシステムにおいては、デシカント利用装置として定置型デシカント利用装置２５−１、２５−２、・・・の他、移動体２５−ｍ・・・が含まれている例を示しており、更にこのシステムにおいては、デシカント再生装置として図２（ａ）と同様の定置型の再生装置２７−１、２７−２、・・・と、同図（ｂ）に示すような移動体２８−１、・・・によるデシカント再生装置も用いられる例を示している。また、図１の地域デシカント管理部門２４等の指示によって効率的な配送を行うようにする。この際も図１の地域デシカント管理部門２４等の指示によって、デシカント再生装置、移動体、デシカント利用装置間において効率的な配送を行うようにする。このような地域デシカント管理部門２４では、必要に応じて課金システムを導入し、デシカントを使用するデシカント利用装置の利用者に対してはデシカント再生料金を徴収し、デシカントの再生を行った施設、車両等に対してはデシカント再生処理料を支払うようにしても良い。
【００５６】
上記のようなシステムで用いるデシカントが粒状である場合、例えば図３に示すような種々の態様でこのデシカントを利用することができる。図３（ａ）に示す例においては、エンジンの排熱を利用した再生装置搭載車両、或いは工場やゴミ焼却場等の排熱を利用するデシカント再生基地等のデシカント再生部門３１におけるデシカント再生装置３４では、前記のような熱源によって吸湿により水分吸着能力が低下したデシカント粒子を再生し、所定量づつデシカント保持容器３５に入れておく。このデシカント再生時には、例えばデシカント容器中に少なめのデシカント粒子を収容し、排熱利用による加熱空気と流動層状態で接触させて再生することもできる。
【００５７】
このようにして再生したデシカントを所定量入れたデシカント保持容器３５は、定期循環する車両等の移動体３２で一般家庭やオフィス等のデシカント利用領域３３に搬送し、搬送したデシカント保持容器３５内の粒子を、各デシカント利用装置の大きさに適合した容量を有するデシカント粒子溜３６に必要量入れてデシカント利用装置３７でこれを使用する。
【００５８】
デシカント粒子溜３６に貯留されたデシカント粒子は種々の態様で使用することができるが、前記のようにデシカント容器中に少なめのデシカント粒子を収容し、室内空気と流動層状態で接触させるようにすることもできる。空調装置３７での使用によって吸湿能力が低下したデシカント粒子は、搬送用のデシカント保持容器３５に入れ、車両等の移動体３２によって再び前記デシカント再生部門３１に搬送されて、デシカント再生装置３４で再生処理される。このようなデシカント粒子の循環によってデシカントネットワークシステムが構成される。
【００５９】
図３（ｂ）には粒状のデシカントを使用し、移動体としての車両４１に設けられたデシカント再生装置４２によってエンジン等の排熱を利用して再生する。このデシカント再生装置４２で内部のデシカント粒子を充分に再生した状態において、デシカント利用領域４５のデシカント利用装置４７で使用しているデシカント粒子溜４６内のデシカント粒子の吸着能力が低下した旨の連絡があったときには、そのデシカント利用領域４５に近接した場所まで走行し、粒子充填管５０と粒子抜き取り管５１を接続し、デシカント利用領域４５側の第１バルブ４８と第２バルブ４９を解放した状態で、圧送ポンプ４３を作動してデシカント再生装置４２内の乾燥粒子を、粒子充填管５０を介して空気流に乗せてデシカント粒子溜４６に送る。同時に吸引ポンプ４４を作動してデシカント粒子溜まり４６内の吸湿粒子を、粒子抜き取り管５１を介して空気流に乗せてデシカント再生装置４２内に送る。このようにしてデシカント粒子溜４６内の吸湿粒子とデシカント再生装置４２内の乾燥デシカント粒子とが交換される。なお、このような粒子充填管や粒子抜き取り管を用いた粒子の移送手段は、前記図３（ａ）に示したようなシステムにおいても同様に用いることができる。また、前記圧送ポンプ４３と吸引ポンプ４４のいずれか片方のみを用いて上記粒子を循環することも可能である。なお、このようなデシカントの交換手法は、デシカントが上記のような粒子状のもの以外に、液状デシカントを用いた場合にも同様に用いることができる。
【００６０】
デシカントは前記のようなデシカント粒子を直接取り扱う以外に、例えば図４に示すようにカセット状デシカントを使用し、これを取り扱うようにしても良い。このカセット状デシカントとしては種々の態様のものを用いることができるが、多孔性のハニカム状構造体にデシカントを担持させたもの、或いは直方体や円筒形の内筒容器に粒状デシカントを充填したもの等を用いることができる。
【００６１】
このようなカセットを用いる際には例えば図５及び図６に示すような取り扱いがなされる。図５及び図６に示す例においては、図５（ａ）の空調装置５３にデシカント５４を適用するに際して、粒状のデシカントを金網や通気性繊維などで形成したカセットとしての内容器５５内に充填し、この内容器５５を多孔性の外容器５６に収納して使用する。図示実施例では外容器５６の更に外側にシャッター５７を設け、同実施例においては図５（ａ）のように空調装置で使用するときには、シャッター５７が自重で降下して、外容器５６の通孔５８とシャッター５７の通孔５９とが一致する。この内容器５５、外容器５６、シャッター５７を組み合わせてカセット組立体６０として使用している状態の斜視図を図５（ｂ）に示す。
【００６２】
図５（ａ）のように空調装置５３でデシカント５４を使用し室内空気の水分及び有害物質をこのデシカントに吸着し、吸着能力が低下したときには、図示実施例においては空調装置５３の下方の蓋６１を開け、内部のカセット組立体６０を取り出し、これを図５（ｃ）のように反転する。それによりシャッター５７は自重で降下し、外容器５６の通孔５８はシャッター５７の通孔５９と一致が解消され、シャッター５７で遮蔽される。カセット組立体６０はこの状態で自由に移動させることができるようにしている。
【００６３】
このようなカセット組立体６０は図５（ｃ）の状態で図１に示す移動体１８によって、デシカント再生基地１７等のデシカント再生装置に搬送されて再送され、或いはその移動体が図１のデシカント再生装置搭載車両であるときにはその車両で再生される。デシカント再生装置では図６（ａ）に示すように外容器の蓋６６を下方に開くと、内部に収納されていたカセットとしての内容器５５が図６（ｂ）に示すように排出され、同図（ｃ）に示すようなカセット再生装置６２内に落下する。
【００６４】
上記のようにしてカセット再生装置６２にカセットが収納された状態を図７に示している。図７に示す例においては、車両の冷却水の熱を利用してデシカントを加熱再生する例を示しており、外筺６３の周囲に加熱配管６４を配置し、更に図示の例では密封した外筺６３内をポンプ６５で吸引し、内部を真空にして減圧再生を可能としている。デシカント再生装置は種々の態様のものを用いることができ、車両に搭載するデシカント再生装置の場合には排気管の熱を直接、或いは排気管の熱によって加熱された空気、或いは液体を用いることもできる。更に図１に示す工場、ゴミ焼却場等の排熱を利用するときには、大型のデシカント再生装置を用い、多数の小型カセットを一度の再生することができるようにしても良い。
【００６５】
前記実施例においてはカセット内に粒状デシカントを充填した例を示したが、前記のようにハニカム状デシカント等種々のものを用いることができるので、これらを取り扱うカセットもそれらのデシカントに合わせてそれぞれ種々の態様に形成する。
【００６６】
上記のようなデシカントのカセットを用いる際には、図４（ａ）に示すように、デシカント再生部門７０とデシカント利用領域７２との間を、車両等の移動体７１によってカセット状デシカント保持容器７３を搬送することができる。この例においてはカセット状デシカント保持容器内のデシカントをデシカント再生部門におけるデシカント再生装置で再生するに際して、そのデシカント再生装置にデシカントを加熱する熱交換器を配置し、その内部にカセット状デシカントを挿入することによって再生処理を行うようにした例を示している。
【００６７】
また、デシカント利用装置７４でこのカセット状デシカント７３を使用する際には、必要に応じて予備のカセット状デシカントを備え、再生を依頼する使用済みのカセット状デシカントを保存しておくようにしても良い。更に、デシカント利用領域７２が例えばオフィスビルのような場合で、各部屋に個々の空調装置を設置している場合には、これらの多数の空調装置にこのデシカントを使用することとなるが、その際のデシカントの管理はビル管理部門が一括して行うことが好ましく、その際にはビル内のデシカント管理システムによって適切な管理を行うこととなる。
【００６８】
図４（ｂ）には前記カセット状デシカントの再生、除湿を行うための熱交換用配管類をデシカント保持容器に設けた例を示しており、このカセット状デシカント保持容器８５を一体的にデシカント再生部門８６とデシカント利用領域８７間を移動体８８によって搬送する。このようなカセット状デシカント保持容器８５を用いることにより、特にデシカント再生装置において取り扱いの容易なシステムとすることができる。
【産業上の利用可能性】
【００６９】
本発明によるデシカントネットワークシステムは、従来利用が困難であった各種排熱を、デシカントの再生のために用い、車両等の移動体によってデシカントを使用するデシカント利用装置の設置箇所に配送することにより、社会全体の省エネルギーに寄与することができるので、公共のシステムとして実施することができるが、デシカントの使用時の課金、再生時の料金支払いを管理することによりこれを業務とする企業によって実施することもできる。
【図面の簡単な説明】
【００７０】
【図１】本発明によるデシカントネットワークシステムの全体概要を示す説明図である。
【図２】本発明のシステムの各種態様を示す説明図である。
【図３】本発明のシステムにおいて粒状デシカントを用いた各種態様を示す説明図である。
【図４】本発明のシステムにおいてカセット状デシカントを用いた各種態様を示す説明図である。
【図５】本発明のシステムのカセットを用いる実施例において、空調装置での使用状態、及び搬送時の状態を示す図である。
【図６】本発明のシステムのカセットを用いる実施例において、デシカント再生装置への装填状態を示す図である。
【図７】本発明のシステムのカセットを用いる実施例において、デシカント再生装置での使用状態を示す図である。
【図８】従来のデシカントを用いた空調装置の例を示す図である。
【符号の説明】
【００７１】
１１  オフィス
１２  公共機関
１３  商業施設
１４  一般家庭
１５  空調装置
１６  デシカント
１７  再生基地
１８  移動体
１９  デシカント再生装置付き車両
２０  デシカント再生装置
２１  デシカント配送基地
２２  デシカントモニター
２３  通信機
２４  地域デシカント管理部門
【図１】
2006064325.tif 000003
【図２】
2006064325.tif 000004
【図３】
2006064325.tif 000005
【図４】
2006064325.tif 000006
【図５】
2006064325.tif 000007
【図６】
2006064325.tif 000008
【図７】
2006064325.tif 000009
【図８】
2006064325.tif 000010